(57)【要約】【課題】分割した画像領域の境界が視認されるのを抑制しつつ、広画角化や小型化、薄型化を達成できる虚像表示装置を提供すること。【解決手段】第１表示素子１ａ，１ｂ及び第１接眼光学系１０１ａ，１０１ｂによって観察者に対して正面側の第１表示領域ＡＲ１での表示を行う一方、第２表示素子及２ａ，２ｂ及び第２接眼光学系１０２ａ，１０２ｂによって観察者に対して周辺側の第２表示領域ＡＲ２ａ，ＡＲ２ｂでの表示を行う。以上により、表示領域の重畳領域を人の視野のうち情報受容能力に優れる中心側から外れた位置に設け、境界が視認されるのを抑制しつつ、広画角化を図る。また、複数の表示素子で構成することで、装置全体としての小型化、薄型化を図る。【選択図】図２
2019074680.tif 000002
【特許請求の範囲】
【請求項１】
装着時において正面視した観察者の正面側となる第１表示領域に対応する第１成分の画像光を射出する第１表示素子と、
前記第１表示領域の周辺側において一部重畳する第２表示領域に対応する第２成分の画像光を射出する第２表示素子と、
前記第１表示素子から射出された前記第１成分の画像光を観察者の眼に対応する位置に射出する第１接眼光学系と、
前記第２表示素子から射出された前記第２成分の画像光を観察者の眼に対応する位置に射出する第２接眼光学系と
を備え、
前記第１表示素子と前記第１接眼光学系とは、観察者の左右の眼に対応して設けられる一対の構成であり、一対の前記第１表示素子は、前記第１表示領域において共通内容の画像表示を行い、
前記第２表示素子は、前記第２表示領域において単独の画像表示を行う、虚像表示装置。
【請求項２】
前記第２表示素子と前記第２接眼光学系とは、観察者の左右の眼に対応して設けられる一対の構成であり、一対の前記第２表示素子は、前記第２表示領域において個別に単独の画像表示を行う、請求項１に記載の虚像表示装置。
【請求項３】
前記第１表示領域は、装着時において正面視した観察者の視軸が通過すると想定される範囲を含む、請求項１および２のいずれか一項に記載の虚像表示装置。
【請求項４】
前記第１表示領域は、装着時において正面視した観察者の安定注視野と想定される範囲を含む、請求項１〜３のいずれか一項に記載の虚像表示装置。
【請求項５】
前記第１表示領域と前記第２表示領域との重畳領域又は境界部分は、装着時において正面視した観察者の安定注視野と想定される範囲よりも周辺側に配置されている、請求項４に記載の虚像表示装置。
【請求項６】
前記第１表示素子のリフレッシュレートは、前記第２表示素子のリフレッシュレートよりも高い、請求項１〜５のいずれか一項に記載の虚像表示装置。
【請求項７】
前記第１表示素子の解像度は、前記第２表示素子の解像度よりも高い、請求項１〜６のいずれか一項に記載の虚像表示装置。
【請求項８】
前記第２表示素子の視野角特性は、前記第１表示素子の視野角特性よりも広い、請求項１〜７のいずれか一項に記載の虚像表示装置。
【請求項９】
前記第１及び第２表示素子は、３つ以上の頂点を有する多角形状のパネルを有する、請求項１〜８のいずれか一項に記載の虚像表示装置。
【請求項１０】
前記第１表示領域と前記第２表示領域とは、前記第２表示領域を外縁側にして眼の並ぶ横方向に配列されている、請求項１〜９のいずれか一項に記載の虚像表示装置。
【請求項１１】
前記第２表示素子は、複数の表示素子部で構成され、
前記第２表示領域は、前記複数の表示素子部に対応する複数の分割表示領域を隣接させつつ重畳領域又は境界部分をもたせて形成される、請求項１〜１０のいずれか一項に記載の虚像表示装置。
【請求項１２】
前記複数の表示素子部に対応する複数の分割表示領域は、眼の並ぶ横方向又は眼の並ぶ横方向に直交する縦方向に配列される、請求項１１に記載の虚像表示装置。
【請求項１３】
前記第１表示領域の周辺側において一部重畳する第３表示領域に対応する第３成分の画像光を射出する第３表示素子をさらに備え、
前記第３表示素子は、観察者の左右の眼に対応して設けられる一対の構成であり、前記第３表示領域において共通内容の画像表示を行う、請求項１〜１２のいずれか一項に記載の虚像表示装置。
【請求項１４】
前記表示領域の間での同一箇所での領域の重畳数は、３つ以下である、請求項１〜１３のいずれか一項に記載の虚像表示装置。
【請求項１５】
前記第１表示素子及び前記第２表示素子は、有機ＥＬ表示デバイス、液晶表示デバイス、及びレーザー走査型の表示デバイスのうちいずれかである、請求項１〜１４のいずれか一項に記載の虚像表示装置。
【発明の詳細な説明】
【技術分野】
【０００１】
本発明は、映像を観察者に提示する虚像表示装置に関し、特に複数の表示素子から射出された画像光を射出する虚像表示装置に関する。
【背景技術】
【０００２】
近年、ヘッドマウントディスプレイ（以下、ＨＭＤとも言う）等の虚像表示装置においては、広画角化が進んでおり、特に、ＶＲ用のＨＭＤにおいては、広い表示画角が必要となっている。このため、光学系が長くなり、顔の前方にレンズや表示素子が飛び出るような形状となりがちである。表示素子のサイズを小さくすれば、光学系の全長は短くなるが、光学系のパワーが強くなり、良好な表示品質を保持することが難しい。これに対して、表示画面を幾つかに分割しこれらを繋ぎ合わせるものが公知となっている（例えば、特許文献１〜３等参照。）。
【０００３】
しかしながら、分割した画像領域の境界（重畳領域）が観察者にはっきり見えてしまう可能性がある。特に、当該境界が、人の視野のうち情報受容能力に優れる中心側にある場合により目立つ可能性が高くなる。
【先行技術文献】
【特許文献】
【０００４】
【特許文献１】特許第３３６３６４７号公報
【特許文献２】特開平７−３３３５４９号公報
【特許文献３】特開２００９−３１２８号公報
【発明の概要】
【０００５】
本発明は、分割した画像領域の境界が視認されるのを抑制しつつ、広画角化や小型化、薄型化を達成できる虚像表示装置を提供することを目的とする。
【０００６】
本発明に係る虚像表示装置は、装着時において正面視した観察者の正面側となる第１表示領域に対応する第１成分の画像光を射出する第１表示素子と、第１表示領域の周辺側において一部重畳する第２表示領域に対応する第２成分の画像光を射出する第２表示素子と、第１表示素子から射出された第１成分の画像光を観察者の眼に対応する位置に射出する第１接眼光学系と、第２表示素子から射出された第２成分の画像光を観察者の眼に対応する位置に射出する第２接眼光学系とを備え、第１表示素子と第１接眼光学系とは、観察者の左右の眼に対応して設けられる一対の構成であり、一対の第１表示素子は、第１表示領域において共通内容の画像表示を行い、第２表示素子は、第２表示領域において単独の画像表示を行う。
【０００７】
上記虚像表示装置では、まず、観察者の左右の眼の一方ずつにおいて、第１表示素子及び第１接眼光学系によって観察者に対して正面側の表示（第１表示領域での表示）を行いつつ、第２表示素子及び第２接眼光学系によって観察者に対して周辺側の表示（第２表示領域での表示）を行う。これにより、これらの表示をつなぐ境界部分、すなわち重畳領域を人の視野のうち情報受容能力に優れる中心側から外れた位置に設けることができる。すなわち、境界（重畳領域）が視認されるのを抑制しつつ、画像の広画角化を図ることができる。また、複数の表示素子で構成することで、各表示素子については、小型のものを採用できるため、装置全体としても、小型化、薄型化を図ることができる。さらに、上記のような構成の第１表示素子と第１接眼光学系とを、観察者の左右の眼に対応して一対で設けている。この際、観察者にとって正面側の表示となる第１表示領域においては、左右の眼に対して共通内容の画像表示を行い、周辺側の表示となる第２表示領域においては、単独の画像表示を行う。これにより、観察者が画像を頭の中でつなぎ合わせることで、さらに広画角化された画像として認識させることができる。
【０００８】
本発明の具体的な側面では、第２表示素子と第２接眼光学系とは、観察者の左右の眼に対応して設けられる一対の構成であり、一対の第２表示素子は、第２表示領域において個別に単独の画像表示を行う。この場合、右眼側と左眼側とで個別に単独の画像表示を行うことができ、観察者が左右の眼で見た画像を頭の中でつなぎ合わせることで、さらに広画角化された画像として認識させることができる。
【０００９】
本発明の別の側面では、第１表示領域は、装着時において正面視した観察者の視軸が通過すると想定される範囲を含む。この場合、人の視野のうち情報受容能力に優れる範囲を、第１表示領域内に収めることができる。
【００１０】
本発明のさらに別の側面では、第１表示領域は、装着時において正面視した観察者の安定注視野と想定される範囲を含む。この場合、人の視野のうち眼球・頭部運動で無理なく注視でき、効果的な情報受容ができる領域を、第１表示領域内に収めることができる。
【００１１】
本発明のさらに別の側面では、第１表示領域と第２表示領域との重畳領域又は境界部分は、装着時において正面視した観察者の安定注視野と想定される範囲よりも周辺側に配置されている。この場合、人の視野のうち眼球・頭部運動で無理なく注視でき、効果的な情報受容ができる領域の外側に重畳領域を配置することで、画像領域の境界が視認されるのを抑制できる。
【００１２】
本発明のさらに別の側面では、第１表示素子のリフレッシュレートは、第２表示素子のリフレッシュレートよりも高い。この場合、第１表示素子側での画像表示において、より滑らかな動画を表示でき、第２表示素子での画像表示において、画処理を軽減できる。
【００１３】
本発明のさらに別の側面では、第１表示素子の解像度は、第２表示素子の解像度よりも高い。この場合、第１表示素子側での画像表示において、より高精細な画像を提供できる。
【００１４】
本発明のさらに別の側面では、第２表示素子の視野角特性は、第１表示素子の視野角特性よりも広い。この場合、周辺側の画像光の成分を確実に観察者の眼に向けて射出することができる。
【００１５】
本発明のさらに別の側面では、第１及び第２表示素子は、３つ以上の頂点を有する多角形状のパネルを有する。この場合、広画角化における画像周辺側の歪みを低減できる。
【００１６】
本発明のさらに別の側面では、第１表示領域と第２表示領域とは、第２表示領域を外縁側にして眼の並ぶ横方向に配列されている。この場合、眼の並ぶ横方向について画角の広い画像を構成できる。
【００１７】
本発明のさらに別の側面では、第２表示素子は、複数の表示素子部で構成され、第２表示領域は、複数の表示素子部に対応する複数の分割表示領域を隣接させつつ重畳領域又は境界部分をもたせて形成される。この場合、複数の分割表示領域で第２表示領域を構成することで、表示素子側としてさらに小型の部材を利用できる。
【００１８】
本発明のさらに別の側面では、複数の表示素子部に対応する複数の分割表示領域は、眼の並ぶ横方向又は眼の並ぶ横方向に直交する縦方向に配列される。この場合、眼の並ぶ横方向やこれに直交する縦方向について画角の広い画像を構成できる。
【００１９】
本発明のさらに別の側面では、第１表示領域の周辺側において一部重畳する第３表示領域に対応する第３成分の画像光を射出する第３表示素子をさらに備え、第３表示素子は、観察者の左右の眼に対応して設けられる一対の構成であり、第３表示領域において共通内容の画像表示を行う。この場合、共通内容の画像表示を行う範囲を広げることができる。
【００２０】
本発明のさらに別の側面では、表示領域の間での同一箇所での領域の重畳数は、３つ以下である。この場合、各領域の配置の自由度を確保しつつ、多数の表示領域の重畳を回避することで、重畳領域が目立つことを抑制できる。
【００２１】
本発明のさらに別の側面では、第１表示素子及び第２表示素子は、有機ＥＬ表示デバイス、液晶表示デバイス、及びレーザー走査型の表示デバイスのうちいずれかである。
【図面の簡単な説明】
【００２２】
【図１】第１実施形態の虚像表示装置を説明する概念的な平面図である。
【図２】左右一対の光学系と対応する表示領域との関係について示す図である。
【図３】虚像表示装置の片方の眼で視認される表示領域の様子を示す概念図である。
【図４】表示素子の一変形例の画素構造について説明するための図である。
【図５】表示素子の一変形例の内部構造について説明するための図である。
【図６】虚像表示装置の信号送信の様子の一例について説明するための図である。
【図７Ａ】第２実施形態の虚像表示装置について説明する概念図である。
【図７Ｂ】第２実施形態の虚像表示装置について説明する概念図である。
【図８】虚像表示装置で視認される表示領域の様子を示す概念図である。
【図９】表示領域の画角（視野角）についての一例を示す図である。
【図１０】比較例の虚像表示装置による表示領域の様子を示す概念図である。
【図１１】第３実施形態の虚像表示装置の様子を示す概念図である。
【図１２】第３実施形態の虚像表示装置による表示領域の様子を示す概念図である。
【図１３】他の一変形例の虚像表示装置による表示領域の様子を示す概念図である。
【図１４】表示素子及び接眼光学系の一変形例について説明するための図である。
【発明を実施するための形態】
【００２３】
〔第１実施形態〕
以下、図面を参照しつつ、本発明に係る第１実施形態の虚像表示装置について説明する。なお、図１等おいて、Ｘ、Ｙ、及びＺは、直交座標系の３軸を意味し、Ｘは、正面視の視軸方向に相当する方向に対応し、Ｙは、直立した観察者の一対の眼の並ぶ横方向又は水平方向に対応し、Ｚは、眼の並ぶ横方向や正面視の視軸に垂直な鉛直方向に対応する。
【００２４】
図１に示す虚像表示装置２００は、眼鏡型のヘッドマウントディスプレイであり、左右一対の画像表示部２００Ａ，２００Ｂと、両画像表示部２００Ａ，２００Ｂの表示動作等を制御する制御回路部８０と、ユーザーの操作を受け付け制御回路部８０と連携して動作する操作制御部９０とを備える。虚像表示装置２００は、ユーザー又は装着者である観察者の両眼ＥＹ，ＥＹの位置として想定される位置において虚像を視認させる画像光である映像光ＧＬを入射させることで、動画、静止画等の各種画像を観察者に認識させる画像表示装置である。
【００２５】
右眼用の画像表示部２００Ａは、表示部２０Ａと、接眼光学系１００Ａとを備える。左眼用の画像表示部２００Ｂは、表示部２０Ｂと、接眼光学系１００Ｂとを備える。画像表示部２００Ａ，２００Ｂは、制御回路部８０に接続され、制御回路部８０からの各種信号に従って画像表示の動作をする。なお、観察者は、操作制御部９０を操作することで、例えば制御回路部８０に較正要求を送信する等、各種操作を行うことができる。
【００２６】
以下、図２等を参照して、光学系の各構成について説明するとともに、観察者によって視認される画像の様子について説明する。なお、本実施形態では、光学系の各構成は、左右一対の対称的な構成となっている。
【００２７】
まず、図２に示されるように、右眼用の画像表示部２００Ａのうち、まず、表示部２０Ａは、パネル等で構成される映像素子である第１表示素子１ａと、第２表示素子２ａとを備える。接眼光学系１００Ａは、第１表示素子１ａの光路後段すなわち光路の下流側に設けられる第１接眼光学系１０１ａと、第２表示素子２ａの光路後段（光路下流側）に設けられる第２接眼光学系１０２ａとを備える。同様に、左眼用の画像表示部２００Ｂのうち、表示部２０Ｂは、第１表示素子１ｂと、第２表示素子２ｂとを備え、接眼光学系１００Ｂは、第１接眼光学系１０１ｂと、第２接眼光学系１０２ｂとを備える。なお、これらの表示素子１ａ，２ａ，１ｂ，２ｂは、例えば有機ＥＬ表示デバイス、液晶表示デバイス、及びレーザー走査型の表示デバイス等で構成可能である。
【００２８】
虚像表示装置２００は、上記４つの表示素子１ａ，２ａ，１ｂ，２ｂと、４つの接眼光学系１０１ａ，１０２ａ，１０１ｂ，１０２ｂにより、観察者の正面側となる第１表示領域ＡＲ１と、周辺側となる２つの第２表示領域ＡＲ２ａ，ＡＲ２ｂとが、あたかも繋がった１つの統合表示領域ＡＲＧが存在するかのように、観察者に視認させることができる。
【００２９】
上記について具体的に説明すると、まず、右眼用の第１表示素子１ａと左眼用の第１表示素子１ｂとは、対応する観察者の左右の眼ＥＹ，ＥＹに対して装着時において正面側に配置されており、映像光ＧＬとして、正面視した観察者の正面側となる第１表示領域ＡＲ１に対応する第１成分ＧＬ１をそれぞれ射出する。観察者の眼ＥＹ，ＥＹにおいては、第１表示素子１ａ，１ｂからの第１成分ＧＬ１が、第１接眼光学系１０１ａ，１０１ｂを経て、拡大された虚像として視認される。以上において、右眼用の第１表示素子１ａからの第１成分ＧＬ１の画像光と、左眼用の第１表示素子１ｂからの第１成分ＧＬ１の画像光とについて共通する内容の画像を形成することで、両眼で１つの画像を見ていると認識される。言い換えると、図２では、虚像として１つの画像として視認される表示範囲を、第１表示領域ＡＲ１で示している。この際、第１表示領域ＡＲ１は、観察者が、装着時において正面視した際に観察者の眼ＥＹ，ＥＹの視軸（例えば図１において正面を見ている右側又は左側の眼ＥＹの視軸ＥＸ）が通過すると想定される範囲（視軸の個人差等を加味したマージン）を含むものとなっている。すなわち、第１成分ＧＬ１の射出角度の範囲や方向については、正面視における眼ＥＹ，ＥＹの視軸として想定される角度の範囲や方向に対応させている。例えば、図中、十字のマークで示す映像の中心となる指標ＭＫ（映像コンテンツの中心位置）を第１表示領域ＡＲ１の中央位置に配するように各種画像処理を行えば、眼ＥＹ，ＥＹの標準的な視軸方向が正面に存在する指標ＭＫに向かう。また、標準的な状態として、例えば観察者の視軸方向が＋Ｘ方向となるように左右の眼に対応する映像表示の内容を調整する場合や、左右の眼の特性を考慮して、右眼ＥＹの視軸がやや−Ｙ方向に傾いた＋Ｘ方向、左眼ＥＹの視軸がやや＋Ｙ方向に傾いた＋Ｘ方向となるように映像表示の内容を調整する場合が考えられる。なお、いずれの場合も、第１表示領域ＡＲ１を観察者の正面側においてある程度の範囲を占めるような表示とすることで第１表示領域ＡＲ１が、装着時において正面視した観察者の視軸が通過すると想定される範囲を含むようにできる。
【００３０】
次に、右眼用の第２表示素子２ａは、対応する観察者の右の眼ＥＹに対して装着時において周辺側より具体的には観察者の右耳（図示略）に近い外縁側に配置されており、映像光ＧＬとして、正面視した観察者の右側（−Ｙ側）の周辺側（外縁側）となる第２表示領域ＡＲ２ａに対応する第２成分ＧＬ２ａを射出する。観察者の右の眼ＥＹにおいては、第２表示素子２ａからの第２成分ＧＬ２ａが、第２接眼光学系１０２ａを経て、拡大された虚像として視認される。以上において、右眼用の第２表示素子２ａからの第２成分ＧＬ２ａの画像光は、他の画像光とは個別に単独の画像表示を行う。言い換えると、図２では、虚像として１つの画像として右眼のみで視認される表示範囲を、第２表示領域ＡＲ２ａで示している。
【００３１】
同様に、左眼用の第２表示素子２ｂは、観察者の左耳（図示略）に近い外縁側に配置されており、映像光ＧＬとして、正面視した観察者の左側（＋Ｙ側）の周辺側（外縁側）となる第２表示領域ＡＲ２ｂに対応する第２成分ＧＬ２ｂを射出する。観察者の左の眼ＥＹにおいては、第２表示素子２ｂからの第２成分ＧＬ２ｂが、第２接眼光学系１０２ｂを経て、拡大された虚像として視認される。以上において、左眼用の第２表示素子２ｂからの第２成分ＧＬ２ｂの画像光は、他の画像光とは個別に単独の画像表示を行う。言い換えると、図２では、虚像として１つの画像として左眼のみで視認される表示範囲を、第２表示領域ＡＲ２ｂで示している。
【００３２】
ここで、右眼用の画像表示部２００Ａにおいては、第１表示領域ＡＲ１の周辺側と第２表示領域ＡＲ２ａとが一部重畳して繋がった画像となるように、各光学系が配置されている。同様に、左眼用の画像表示部２００Ｂにおいては、第１表示領域ＡＲ１の周辺側と第２表示領域ＡＲ２ｂとが一部重畳して繋がった画像となるように、各光学系が配置されている。つまり、第１表示領域ＡＲ１と第２表示領域ＡＲ２ａ，ＡＲ２ｂとは、第２表示領域ＡＲ２ａ，ＡＲ２ｂをそれぞれ外縁側にして眼の並ぶ横方向（水平方向；Ｙ方向）に配列されている。以上のことから、図２に示すように、中央部において１つの第１表示領域ＡＲ１を有し、かつ、第１表示領域ＡＲ１の左右に繋がって延びる第２表示領域ＡＲ２ａ，ＡＲ２ｂを有した統合表示領域ＡＲＧが観察者に視認されるものとなる。
【００３３】
図３は、片方の眼で視認される表示領域の様子を示す概念図であり、一方が、観察者の右眼に視認される右眼側表示領域ＡＲＲを示しており、他方が、観察者の左眼に視認される左眼側表示領域ＡＲＬを示している。すなわち、右眼側表示領域ＡＲＲは、第１表示領域ＡＲ１と第２表示領域ＡＲ２ａとで構成される表示領域であり、左眼側表示領域ＡＲＬは、第１表示領域ＡＲ１と第２表示領域ＡＲ２ｂとで構成される表示領域である。各表示領域ＡＲＲ，ＡＲＬは、既述のように、繋ぎ目すなわち境界となる重畳領域ＯＶＲ，ＯＶＬを有する。なお、図３では、分かりやすくするために、重畳領域ＯＶＲ，ＯＶＬを誇張してこれらの横幅ＷＲ，ＷＬを大きくした表示としているが、実際には細い線状の領域である。このような重畳領域ＯＶＲ，ＯＶＬ（繋ぎ目、境界）は、観察者にはっきり見えてしまう可能性があり、特に、人の視野のうち情報受容能力に優れる中心側にある場合には、より目立ってしまう可能性が高まる。
【００３４】
一方で、人の視野について、情報受容能力に優れる有効視野は、水平３０°、垂直２０°程度である。また、眼球・頭部運動で無理なく注視でき、効果的な情報受容ができる安定注視野は、水平６０〜９０°、垂直４５〜７０°程度である。このことから、実際に見えている視野のうち、情報として視認できる領域は高々３０°程度であると考えられ、広画角化を進めつつも良好な視認性の確保をする、という観点からは、この領域についての解像度の高さを維持することが重要となる。さらに、６０°以上の範囲であれば、上記のような重畳領域によって形成される繋ぎ目、あるいは境界のようなものは、より視認されにくいと考えられる。さらに、広画角化が進んだＦＯＶ（画角）５０°を超えるようなＨＭＤの場合では、例えば既知のヘッドトラッキング機能が設けられることが多く、観察者は、周辺部分が見たくなった場合は眼ではなく頭を動かしてみようとするため、観察者の視線は、常に画像の中心付近を向いた状態となり、周辺部分に視線が向けられることはほとんど無い。したがって、画像表示としては解像度が必要な領域は画像表示の中心側領域に限られ、周辺側領域はそれほど解像度を必要としない。
【００３５】
本実施形態では、上記観点を考慮して、虚像表示装置２００の光学系について、上述した構成としていることで、中心側の主たる画像の形成を、第１表示素子１ａ，１ｂを含む光学系が担い、ＦＯＶ（画角）すなわち観察者が視認可能な範囲をさらに広げるための周辺側を第２表示素子１０１ａ，１０１ｂを含む光学系が担うものとしている。この場合、例えば第１表示素子１ａ，１ｂにより観察者に視認させる画像の範囲である第１表示領域ＡＲ１について、ＦＯＶを十分に大きなものとすることで、第１表示領域ＡＲ１の周縁部分に相当する重畳領域ＯＶＲ，ＯＶＬの視認性を弱めることができる。ここでは、一例として、上記人の視野に関する範囲のうち例えば安定注視野の領域を念頭において考える。具体的には、装着時において正面視した観察者の標準的な位置（例えば十字状の指標ＭＫの中心あるいは標準的な視軸の通過位置）を画角（視野角）０°の基準として、第１表示領域ＡＲ１が観察者の安定注視野と想定される範囲に相当する領域ＶＶを含むように一対の画像表示部２００Ａ，２００Ｂを構成する、さらには、重畳領域ＯＶＲ，ＯＶＬが、領域ＶＶよりも周辺側に配置されるように一対の画像表示部２００Ａ，２００Ｂを構成する。これにより、画像領域の境界である重畳領域ＯＶＲ，ＯＶＬが視認されるのをより抑制できる。
【００３６】
なお、上記では、領域ＶＶを、安定注視野と想定される範囲に相当する領域としているが、これに限らず、例えば、水平３０°、垂直２０°程度の情報受容能力に優れる有効視野を領域ＶＶとして、これを第１表示領域ＡＲ１が含むように構成することも考えられる。
【００３７】
以下、図４等を参照して、一変形例の虚像表示装置２００について説明する。上記のように、人の視野について、情報受容能力に優れる範囲が限られていることを考慮すれば、周辺側となる２つの第２表示領域ＡＲ２ａ，ＡＲ２ｂについては、第１表示領域ＡＲ１ほどの繊細な画像を要するとは限らない。一方で、２つの第２表示領域ＡＲ２ａ，ＡＲ２ｂについては、より広げることで、より広画角な画像の形成が期待できる。
【００３８】
そこで、図４の例では、画像表示部２００Ａを構成する表示部２０Ａのうち、第１表示領域ＡＲ１の画像形成に寄与する第１表示素子１ａと、第２表示領域ＡＲ２ａの画像形成に寄与する第２表示素子２ａとで、解像度が異なっている。具体的には、第１表示素子１ａを構成する各画素ＰＸの縦横の幅Ｈ１，Ｗ１が、第２表示素子２ａを構成する各画素ＰＸの縦横の幅Ｈ２，Ｗ２よりも小さくなっている。すなわち、第１表示素子１ａの解像度が、第２表示素子２ａの解像度よりも高くなっている。この場合、第１表示素子側での画像表示において、より高精細な画像を提供できる。また、第２表示素子において、１つの画素を大きくしてより広画角化を図ることができる。なお、各幅の度合いについては、種々考えられるが、例えば、２倍程度、すなわち、Ｗ２＝２×Ｗ１、Ｈ２＝２×Ｈ１程度とすることが考えられる。
【００３９】
また、画像表示部２００Ｂを構成する表示部２０Ｂについて、すなわち第１表示領域ＡＲ１の画像形成に寄与する第１表示素子１ｂと、第２表示領域ＡＲ２ｂの画像形成に寄与する第２表示素子２ｂとについても同様の態様とすることが可能であり、詳細な説明は省略する。
【００４０】
さらに、上記のように画素ＰＸのサイズを変更する場合において、例えば図５に示すように、第１表示素子１ａと第２表示素子２ａとで、視野角特性を異なるものとすることができる。
【００４１】
図５に例示するように、画像表示部２００Ａにおいて表示部２０Ａを構成する第１表示素子１ａ及び第２表示素子２ａは、カラーフィルター層ＣＦと、画素電極である複数の透明電極（陽極）７１ａと、対向電極（陰極）７２ａと、透明電極７１ａと対向電極７２ａとの間に配置された発光機能層である各色の発光層ＥＥｒ，ＥＥｇ，ＥＥｂを含む有機ＥＬ層７３ａと、保護層７４ａとをそれぞれ備える。カラーフィルター層ＣＦは、保護層７４ａ上に形成される。カラーフィルター層ＣＦは、赤色、緑色及び青色用カラーフィルター部ＣＦｒ，ＣＦｇ，ＣＦｂで構成され、各色用カラーフィルター部ＣＦｒ，ＣＦｇ，ＣＦｂは、画素電極である複数の透明電極（陽極）７１ａにそれぞれ対応してマトリクス状に配列されている。以上のような構成により、表示素子１ａ，２ａは、電極７１ａ，７２ａを適宜動作させて発光層ＥＥｒ，ＥＥｇ，ＥＥｂで構成される有機ＥＬ層７３ａを発光させ、映像光ＧＬ（あるいは映像光ＧＬの成分ＧＬ１，ＧＬ２ａ）を射出するものとなっている。
【００４２】
中心側領域を構成する第１表示素子１ａと周辺側領域を構成する第２表示素子２ａとでは、必要となる画素ＰＸ（サブ画素Ｓｒ，Ｓｇ，Ｓｂ）のサイズに応じて大きさが異なるものとなっている。すなわち、第２表示素子２ａのほうが、１つの画素ＰＸを構成する各部のサイズが第１表示素子１ａのものよりも大きくなっている。なお、図示の例では、１つの画素ＰＸが大きくなることに伴い、各色の発光層ＥＥｒ，ＥＥｇ，ＥＥｂについても大きくなっている。
【００４３】
ここで、第１表示素子１ａから射出される第１成分ＧＬ１は、主光線角が比較的小さい。このため、例えば視野角特性は比較的狭くピーキーな特性としても、輝度の低下、色の変化は生じにくい。一方、第２表示素子２ａは、周辺側領域からの光となるべき成分ＧＬ２ａを射出する。この際、画素ＰＸのサイズが大きくなっている。すなわち、第２表示素子２ａを構成するカラーフィルター部ＣＦｒ，ＣＦｇ，ＣＦｂが、第１表示素子１ａのものよりも大きくなっている。これにより、視野角特性も比較的広くできる。また、この場合、例えば第２表示素子２ａからの画像光の成分について主光線角が比較的大きくなるような場合であっても、確実に観察者の眼に向けて射出することができる。
【００４４】
また、画像表示部２００Ｂを構成する表示部２０Ｂについて、すなわち第１成分ＧＬ１を射出する第１表示素子１ｂと、第２成分ＧＬ２ｂを射出する第２表示素子２ｂとについても同様の態様とすることが可能であり、詳細な説明は省略する。
【００４５】
以下、図６を参照して、他の一変形例の虚像表示装置２００について説明する。なお、左右の対称性により、ここでは、虚像表示装置２００のうち、右眼側の表示部２０Ａについてのみ説明し、左眼側については省略する。
【００４６】
既述のように、人の情報受容能力に優れる視野が限られていることから、例えば動画の動きの滑らかさ等についても、周辺側については、中心側ほどの精度を要しない場合も考えられる。そこで、図６の例の虚像表示装置２００の表示部２０Ａでは、第１表示素子１ａと第２表示素子２ａとで、表示画像（動画）のリフレッシュタイミングの頻度を示すリフレッシュレートが異なる態様としている。具体的に説明すると、まず、制御回路部８０について、主要部であり全体の統合制御を行う主制御部８１は、作成した各種信号を、送信部８２を介して各部へ送信するものとなっている。送信に際して、主制御部８１は、第１表示素子１ａに送信すべき映像信号等の各種信号である第１信号ＳＧ１の送信頻度を、第２表示素子２ａに送信すべき映像信号等の各種信号である第２信号ＳＧ２の送信頻度よりも高いものとしている。例えば第１信号ＳＧ１の送信頻度が、第２信号ＳＧ２の送信頻度の２倍程度とすることが考えられる。以上のように、第１表示素子１ａのリフレッシュレートが第２表示素子２ａのリフレッシュレートよりも高い場合、第１表示素子１ａ側での画像表示において、より滑らかな動画を表示でき、第２表示素子２ａでの画像表示において、画処理の負担を軽減できる。なお、上記のような動作の制御を可能とすべく、主制御部８１は、例えば、ＣＰＵ、ＧＰＵ、ＳｏｃやＦＰＧＡ等の画像処理可能な制御回路、さらには、各表示素子を動作させるためのドライバー等によって構成されている。
【００４７】
以上のように、本実施形態に係る虚像表示装置２００では、観察者の左右の眼ＥＹ，ＥＹの一方ずつにおいて、まず、第１表示素子１ａ，１ｂ及び第１接眼光学系１０１ａ，１０１ｂによって観察者に対して正面側の第１表示領域ＡＲ１での表示を行う。その一方で、第２表示素子及２ａ，２ｂ及び第２接眼光学系１０２ａ，１０２ｂによって観察者に対して周辺側の第２表示領域ＡＲ２ａ，ＡＲ２ｂでの表示を行う。以上により、第１表示領域ＡＲ１と第２表示領域ＡＲ２ａ，ＡＲ２ｂとでの表示をつなぐ境界部分、すなわち重畳領域ＯＶＲ，ＯＶＬを人の視野のうち情報受容能力に優れる中心側から外れた位置に設けることができる。すなわち、境界（重畳領域ＯＶＲ，ＯＶＬ）が視認されるのを抑制しつつ、画像の広画角化を図ることができる。また、複数の表示素子１ａ，１ｂ，２ａ，２ｂで構成することで、各表示素子については、小型のものを採用できるため、装置全体としても、装置の小型化、薄型化を図ることができる。さらに、上記のような構成の第１及び第２表示素子１ａ，１ｂ，２ａ，２ｂと第１及び第２接眼光学系１０１ａ，１０１ｂ，１０２ａ，１０２ｂとについては、観察者の左右の眼に対応して一対で設けており、観察者にとって正面側の表示となる第１表示領域ＡＲ１においては、左右の眼に対して共通内容の画像表示を行い、周辺側の表示となる第２表示領域ＡＲ２ａ，ＡＲ２ｂにおいては、右眼側と左眼側とで個別に単独の画像表示を行う。これにより、観察者が左右の眼で見た画像を頭の中でつなぎ合わせることで、さらに広画角化された画像として認識させることができる。すなわち、あたかも繋がった１つの統合表示領域ＡＲＧが存在するかのように、観察者に視認させることができる。
【００４８】
〔第２実施形態〕
以下、第２実施形態の虚像表示装置について説明する。本実施形態に係る虚像表示装置は、第１実施形態の虚像表示装置を変形したものであり、第１実施形態と共通する部分については説明を省略する。
【００４９】
図７Ａ及び７Ｂは、本実施形態の虚像表示装置３００について説明する概念図であり、図８は、虚像表示装置３００で視認される表示領域の様子を示す概念図である。本実施形態では、図７Ａ及び７Ｂに示すように、虚像表示装置３００の右眼用の表示部分を構成する画像表示部３００Ａにおいて、第１及び第２表示素子１ａ，２ａと第１及び第２接眼光学系１０１ａ，１０２ａに加え、第３表示素子３ｘ，３ｙとこれに対応して設けられる第３接眼光学系１０３ｘ，１０３ｙを有している点において、第１実施形態の場合と異なっている。
【００５０】
以下、図７Ａ等を参照して、本実施形態の虚像表示装置３００について詳細に説明する。なお、左右対称性（すなわち左右一対の構成となっている）により、光学系（画像表示部）の構成については、図７Ａ及び７Ｂにおいて、右眼側のみ示す。
【００５１】
まず、上述のように、また、図７Ａ及び７Ｂに示すように、虚像表示装置３００の画像表示部３００Ａは、表示部２０Ａとして、第１及び第２表示素子１ａ，２ａに加え、第３表示素子３ｘ，３ｙを有し、接眼光学系１００Ａとして、第３接眼光学系１０３ｘ，１０３ｙを有する。特に、図７Ａに示すように、第３表示素子３ｘ，３ｙ及び第３接眼光学系１０３ｘ，１０３ｙは、上下方向すなわちＺ方向について配列されており、第３表示素子３ｘ及び第３接眼光学系１０３ｘは、第１表示素子１ａの上方側（＋Ｚ側）、第３表示素子３３ｙ及び第３接眼光学系１０３ｙは、第１表示素子１ａの下方側（−Ｚ側）に配置されている。これにより、第３表示素子３ｘは、映像光ＧＬとして、正面視した観察者の中央側のうちの上側（＋Ｚ側）の周辺側（外縁側）となる第３表示領域ＡＲ３ｘ（図８参照）に対応する第３成分ＧＬ３ｘを射出する。同様に、第３表示素子３ｙは、映像光ＧＬとして、正面視した観察者の中央側のうちの下側（−Ｚ側）の周辺側（外縁側）となる第３表示領域ＡＲ３ｙ（図８参照）に対応する第３成分ＧＬ３ｙを射出する。
【００５２】
なお、図示及び説明を省略するが、左眼側の光学系においても、上記と同様の第３表示素子及び第３接眼光学系を有している。すなわち、第３表示素子及び第３接眼光学系として、第１表示素子の上側（＋Ｚ側）と下側（−Ｚ側）との配置されるものが同様に構成されているものとする。特に、ここでは、上側（＋Ｚ側）に配置される第３表示素子からの画像光により左右で共通する内容の画像を形成するものとし、下側（−Ｚ側）に配置される第３表示素子からの画像光により左右で共通する内容の画像を形成するものとする。この場合、図８に示すように、観察者の正面側となる第１表示領域ＡＲ１と、周辺側となる４つの表示領域と、すなわち２つの第２表示領域ＡＲ２ａ，ＡＲ２ｂ及び２つの第３表示領域ＡＲ３ｘ，ＡＲ３ｙとが、あたかも繋がった１つの統合表示領域ＡＲＧが存在するかのように、観察者に視認させることができる。一方、片方の眼でそれぞれ視認される表示領域については、観察者の右眼に視認される右眼側表示領域ＡＲＲが、第１表示領域ＡＲ１、第２表示領域ＡＲ２ａ及び第３表示領域ＡＲ３ｘ，ＡＲ３ｙで構成され、観察者の左眼に視認される左眼側表示領域ＡＲＬが、第１表示領域ＡＲ１、第２表示領域ＡＲ２ｂ及び第３表示領域ＡＲ３ｘ，ＡＲ３ｙで構成される。なお、第１表示領域ＡＲ１の周辺側（上側あるいは下側）と第３表示領域ＡＲ３ｘ，ＡＲ３ｙとが一部重畳して繋がった画像となるように、各光学系が配置されている。
【００５３】
本実施形態においても、隣接する表示領域間で、繋ぎ目すなわち境界となる重畳領域が生じることになるが、第１表示領域ＡＲ１を正面側に配置することで、各重畳領域の視認性を十分に抑えることができる。
【００５４】
図９は、本実施形態における画角について数値的に示した一例である。図例のように、例えば、装着時において正面視した観察者の標準的な位置（例えば十字状の指標ＭＫの中心あるいは標準的な視軸の通過位置）を画角（視野角）０°の基準として、第１表示領域ＡＲ１についての対角方向の画角（半画角）を２５°程度とし、第１表示領域ＡＲ１及び第３表示領域ＡＲ３ｘ，ＡＲ３ｙについての水平方向の画角（全画角）をそれぞれ４０°程度とし、垂直方向の画角（全画角）を３０°ずつ、合計９０°程度とする。また、第２表示領域ＡＲ２ａ，ＡＲ２ｂの水平方向の画角（全画角）をそれぞれ３０°程度とし、垂直方向の画角（全画角）を４０°程度とする。この場合、例えば、統合表示領域ＡＲＧについて、水平方向の画角（全画角）は、１００°程度、垂直方向の画角（全画角）は、９０°程度、対角方向の画角（半画角）は５３．９°程度となる広画角な構成にできる。
【００５５】
また、本実施形態では、左右のそれぞれについて、４つの表示領域を有する、見方を変えると、４つの分割領域を有する構成となっているが、各表示領域の間での同一箇所での領域の重畳数は、３つ以下（高々３つ）となるようにしている。すなわち、図中破線で示す表示領域が最も多く重なる箇所ＯＰにおいて、重畳する表示領域がいずれも３つとなっている。例えば図１０に示す比較例のように、矩形状の４つの表示領域（分割領域）ＰＰ１〜ＰＰ４を重畳させると、図中、十字状の重畳領域ＰＰｂのうち、中央のハッチ部分ＨＰの箇所は、４つの表示領域ＰＰ１〜ＰＰ４すべてが重なることになる。かかる部分では、４つの間での光線の重畳バランスがとれていないと、視認性に影響を与えることになる。特に、ハッチ部分ＨＰの箇所が人の視野特性の高い位置にあると非常に目立つ可能性が高くなる。これに対して、本実施形態では、重畳領域を周辺側としつつ、さらに、４つ（あるいは４つ以上）の表示領域（分割領域）を有する場合でも、重畳領域において、重なる表示領域が３つ以下となるようにすることで、各領域の配置の自由度を確保しつつ、多数の表示領域の重畳を回避して、重畳領域が目立つことを抑制している。
【００５６】
〔第３実施形態〕
以下、第３実施形態の虚像表示装置について説明する。本実施形態に係る虚像表示装置は、第１実施形態等の虚像表示装置を変形したものであり、第１実施形態等と共通する部分については説明を省略する。
【００５７】
図１１は、本実施形態の虚像表示装置の様子の一例を示す概念図であり、図１２は、本実施形態の虚像表示装置による表示領域の様子の一例を示す概念図である。本実施形態では、図１１及び図１２に示すように、右眼側と左眼側とで個別に単独の画像表示を行う第２表示領域が、左右それぞれにおいて、複数の表示領域（分割領域）で構成されている点が異なる。
【００５８】
具体的に説明すると、まず、図１１に示すように、本実施形態に係る虚像表示装置４００は、破線で示す右眼用の第１表示素子１ａ及び第１接眼光学系１０１ａの周辺側に、右眼用の第２表示素子を構成する３組の第２表示素子部４１２ａ，４２２ａ，４３２ａ及び第１接眼光学系４１１ａ，４２１ａ，４３１ａを有している。同様に、破線で示す左眼用の第１表示素子１ｂ及び第１接眼光学系１０１ｂの周辺側に、右眼用の第２表示素子を構成する３組の第２表示素子部４１２ｂ，４２２ｂ，４３２ｂ及び第２接眼光学系４１１ｂ，４２１ｂ，４３１ｂを有している。この結果、図１２に示すように、７つの表示領域を統合した統合表示領域ＡＲＧが存在するかのように、観察者に視認させることができる。すなわち、観察者の正面側となる第１表示領域ＡＲ１と、周辺側となる６つの表示領域である３つの第２表示領域ＡＲ１２ａ，ＡＲ２２ａ，ＡＲ３２ａ及び３つの第２表示領域ＡＲ１２ｂ，ＡＲ２２ｂ，ＡＲ３２ｂとが、１つの統合表示領域ＡＲＧとして、観察者に視認される。なお、この場合、観察者の右眼に視認される右眼側表示領域ＡＲＲが、第１表示領域ＡＲ１及び第２表示領域ＡＲ１２ａ，ＡＲ２２ａ，ＡＲ３２ａで構成され、観察者の左眼に視認される左眼側表示領域ＡＲＬが、第１表示領域ＡＲ１及び第２表示領域ＡＲ１２ｂ，ＡＲ２２ｂ，ＡＲ３２ｂで構成される。第２表示領域ＡＲ１２ａ，ＡＲ２２ａ，ＡＲ３２ａは、３組の第２表示素子部４１２ａ，４２２ａ，４３２ａによって表示され、第２表示領域ＡＲ１２ｂ，ＡＲ２２ｂ，ＡＲ３２ｂは、３組の第２表示素子部４１２ｂ，４２２ｂ，４３２ｂによって表示される。
【００５９】
本実施形態においても、隣接する表示領域間で、繋ぎ目すなわち境界となる重畳領域が生じることになるが、第１表示領域ＡＲ１を正面側に配置することで、各重畳領域の視認性を十分に抑えることができる。また、本実施形態においても、４つ（あるいは４つ以上）の表示領域（分割領域）を有する場合でも、重畳領域において、重なる表示領域が３つ以下となるようにすることで、各領域の配置の自由度を確保しつつ、多数の表示領域の重畳を回避して、重畳領域が目立つことを抑制している。
【００６０】
また、図示の場合、複数の表示素子部４１２ａ等は、例えば第２表示素子部４１２ａと第２表示素子部４２２ａとは、外縁側にして眼の並ぶ横方向に配列されているのに対して、第２表示素子部４１２ａと第２表示素子部４３２ａとは、外縁側にして眼の並ぶ横方向に直交する縦方向に配列されている。これにより、眼の並ぶ横方向やこれに直交する縦方向について画角の広い画像を構成できる。
【００６１】
〔その他の変形例等〕
以上各実施形態に即して本発明を説明したが、本発明は、上記の各実施形態に限られるものではなく、その要旨を逸脱しない範囲において種々の態様において実施することが可能であり、例えば次のような変形も可能である。
【００６２】
まず、上記の説明あるいは図示では、各表示領域（分割領域）を矩形状のものすなわち４つの頂点を有する多角形状のパネルによって表示素子を構成するものとしているが、これに限らず、例えば図１２の場合の変形例として、図１３に示すように、４つ以上の頂点を有する多角形状（図示では六角形）のパネルによって表示素子を構成する、あるいは各表示領域（分割領域）を形成するものとしてもよい。また、３つの頂点を有する三角形状のパネルによって表示素子を構成する、あるいは各表示領域（分割領域）を形成するものとしてもよい。
【００６３】
また、接眼光学系についても、種々の態様が可能であり、例えば図１４のように一部が隣接する接眼光学系とつながった構成とすることも可能である。図１４に示す一例の場合、第１接眼光学系１０１ａや第２接眼光学系１０２ａは、複数のレンズで構成され、さらに絞り等を有する構成となっている。第１及び第２接眼光学系１０１ａ，１０２ａの光軸ＡＸ１，ＡＸ２は、観察者の眼ＥＹに向かう方向に延びており、中心側の画像を視認させる第１接眼光学系１０１ａの光軸ＡＸ１は、観察者の眼ＥＹの視軸ＥＸとして想定される基準方向に一致している。ここで、第１接眼光学系１０１ａと第２接眼光学系１０２ａと農地最も射出側すなわち観察者の眼ＥＹに最も近い側のレンズが、一体化した射出レンズ１１で構成されている。
【００６４】
上記の説明では、外界光を直接観察しないこいとを前提としているが、ハーフミラー等を組み込むことで、外界光をシースルーで観察することもできる。
【００６５】
また、第１表示領域における共通内容の画像表示については、まったく画素の位置等が左右で同じものとする場合のほか、映像コンテンツは共通させつつ、画像位置を左右で少しずつずらして輻輳角を利用した立体視を可能とする、すなわち両者に視差を持たせた画像を形成させるようなものであってもよい。
【００６６】
また、上記の各実施形態では、光学系の各構成の全てを左右一対の対称的な構成としているが、これに限らず他の態様も考えられ、例えば、左右のうち片側にだけ周囲に表示領域が加えられていてもよい。具体的には、例えば第１実施形態では、上記４つの表示素子１ａ，２ａ，１ｂ，２ｂと、４つの接眼光学系１０１ａ，１０２ａ，１０１ｂ，１０２ｂを備えるものとしているが、これらのうち第２表示素子２ａ及び第２接眼光学系１０２ａを有しない構成、あるいは、第２表示素子２ｂ及び第２接眼光学系１０２ｂを有しない構成とすることが考えられる。すなわち、左右のうち片側にだけ周辺側となる第２表示領域を形成させる態様とすることが考えられる。
【００６７】
また、上記では、隣接する表示領域間で、繋ぎ目すなわち境界となる箇所（境界部分）を表示領域の一部が重畳する重畳領域としている。しかし、隣接する表示領域間において重畳させずに並んだ状態でつながって境界部分が形成されている場合も考えられ、本願発明は、かかる重畳箇所を有しない境界部分についても、適用可能である。つまり、図３で例示した重畳領域ＯＶＲ，ＯＶＬに相当する箇所が重畳する箇所を有しない境界部分となっている場合においても、これを中心側から外れた位置に設けることで、視認されるのを抑制できる。
【符号の説明】
【００６８】
１ａ，１ｂ…第１表示素子、２ａ，２ｂ…第２表示素子、３ｘ，３ｙ…第３表示素子、１１…射出レンズ、２０Ａ，２０Ｂ…表示部、７１ａ，７２ａ…電極、７３ａ…有機ＥＬ層、７４ａ…保護層、８０…制御回路部、８１…主制御部、８２…送信部、９０…操作制御部、１００Ａ，１００Ｂ…接眼光学系、２００…虚像表示装置、２００Ａ，２００Ｂ…画像表示部、３００…虚像表示装置、３００Ａ…画像表示部、４００…虚像表示装置、４１２ａ，４２２ａ，４３２ａ，４１２ｂ，４２２ｂ，４３２ｂ…表示素子部、ＡＲ１…第１表示領域、ＡＲ２ａ，ＡＲ２ｂ…第２表示領域、ＡＲ３ｘ，ＡＲ３ｙ…第３表示領域、ＡＲＧ…統合表示領域、ＡＲＬ…左眼側表示領域、ＡＲＲ…右眼側表示領域、ＡＸ１，ＡＸ２…光軸、ＣＦ…カラーフィルター層、ＣＦｒ，ＣＦｇ，ＣＦｂ…カラーフィルター部、ＥＥｒ，ＥＥｇ，ＥＥｂ…発光層、ＥＸ…視軸、ＧＬ…映像光、ＧＬ１…第１成分、ＧＬ２ａ，ＧＬ２ｂ…第２成分、Ｈ１，Ｗ１…縦幅、Ｈ２，Ｗ２…横幅、ＨＰ…ハッチ部分、ＭＫ…指標、ＯＰ…箇所、ＯＶＲ，ＯＶＬ…重畳領域、ＰＰ１〜ＰＰ４…表示領域、ＰＰｂ…重畳領域、ＰＸ…画素、ＳＧ１…第１信号、ＳＧ２…第２信号、ＶＶ…領域、ＷＲ，ＷＬ…横幅
【図１】
2019074680.tif 000003
【図２】
2019074680.tif 000004
【図３】
2019074680.tif 000005
【図４】
2019074680.tif 000006
【図５】
2019074680.tif 000007
【図６】
2019074680.tif 000008
【図７Ａ】
2019074680.tif 000009
【図７Ｂ】
2019074680.tif 000010
【図８】
2019074680.tif 000011
【図９】
2019074680.tif 000012
【図１０】
2019074680.tif 000013
【図１１】
2019074680.tif 000014
【図１２】
2019074680.tif 000015
【図１３】
2019074680.tif 000016
【図１４】
2019074680.tif 000017